(57)【要約】【課題】集水桝への設置が簡単で、土砂やゴミを効率よく収集することができ、また、堆積した土砂やゴミの処分も簡単かつ安全に処分することができ、よって掃除作業の安全性を増すことができ、ひいては高齢化した者の労務軽減に寄与できると共に、作業のコストを下げることができる、集水桝の土砂、ゴミ除去装置を提供することを目的とする。【解決手段】略方形状に枠組みされた枠体と、上部に位置する隅角部内側から垂下して取り付けられ、集水桝の設置面にセットされる脚部と、枠体の上面開口から内側下方に向かって取り付けられ、上面開口が土砂、ゴミ収納用開口とされた土砂、ゴミ収集用ネットと、近傍位置に上面開口を取り囲むように取り付けられ、収集用開口を枠体に固定すると共に、収集後は取り外して収集用ネットを離脱可能とし、離脱後に収集用開口を締結して閉塞可能とした紐部材とを有することを特徴とする。【選択図】図１
2014058804.tif 000002
【特許請求の範囲】
【請求項１】
略方形状に枠組みされた枠体と、
前記枠体上部に位置する隅角部内側から垂下して取り付けられ、集水桝の設置面にセットされる脚部と、
前記枠体の上面開口から内側下方に向かって取り付けられ、上面開口が土砂、ゴミ収納用開口とされた土砂、ゴミ収集用ネットと、
前記土砂、ゴミ収集用ネットの上面開口近傍位置に、前記上面開口を取り囲むように取り付けられ、前記土砂、ゴミ収集用開口を前記枠体に固定すると共に、土砂、ゴミ収集後は、前記枠体から取り外して土砂、ゴミ収集用ネットを前記枠体より離脱可能とし、離脱後には、前記土砂、ゴミ収集用開口を締結して閉塞可能とした紐部材と、を有する、
ことを特徴とする集水桝の土砂、ゴミ除去装置。
【請求項２】
略方形状に枠組みされた枠体と、
前記枠体の隅角部下面に設けられ、集水桝開口部に段差が形成された集水桝の該段差面、または集水桝開口部隅部に載置部が形成された集水桝の該載置部面にセットされるセット部と、
前記枠体の上面開口から内側下方に向かって取り付けられ、上面開口が土砂、ゴミ収納用開口とされた土砂、ゴミ収集用ネットと、
前記土砂、ゴミ収集用ネットの上面開口近傍位置に、前記上面開口を取り囲むように取り付けられ、前記土砂、ゴミ収集用開口を前記枠体に固定すると共に、土砂、ゴミ収集後は、前記枠体から取り外して土砂、ゴミ収集用ネットを前記枠体より離脱可能とし、離脱後には、前記土砂、ゴミ収集用開口を締結して閉塞可能とした紐部材と、を有する、
ことを特徴とする集水桝の土砂、ゴミ除去装置。
【請求項３】
前記集水桝の土砂、ゴミ除去装置は、既設または新設の集水桝に設置することができる、
ことを特徴とする請求項１または請求項２記載の集水桝の土砂、ゴミ除去装置。
【請求項４】
前記枠体は、鉄製である、
ことを特徴とする請求項１または請求項２記載の集水桝の土砂、ゴミ除去装置。
【発明の詳細な説明】
【技術分野】
【０００１】
本発明は、集水桝内に堆積する土砂やゴミを除去する、集水桝の土砂、ゴミ除去装置に関するものである。
【背景技術】
【０００２】
従来より、側溝には土砂などを集める集水桝が所定箇所に複数設けられている。
【０００３】
当該集水桝には、前記側溝底面より一段低く底面が形成された、いわゆる泥溜め部が形成されており、該泥溜め部に溜まった土泥やゴミを清掃者が定期的にスコップ等ですくい上げて取り除き、前記側溝部や集水桝に土砂やゴミが堆積しないようにしていた。
【０００４】
また、特開平１０−１５９１６５号公開公報には、側溝から集水桝へボールやゴミ等が落ちないよう、またたとえ側溝へボールや落ち葉等が落ちても集水桝へは落下させずに、その手前で簡単に拾えるよう、集水桝の入り口手前に設置するゴミキャッチネットの提案もなされている。
【先行技術文献】
【特許文献】
【０００５】
【特許文献１】特開平１０−１５９１６５号公開公報
【発明の開示】
【発明が解決しようとする課題】
【０００６】
しかしながら、前記ゴミキャッチネットであっても、堆積した土砂やゴミの除去はスコップ等で取り除く必要があり、ひとつひとつの集水桝の清掃を清掃者がすべて行うのは大変な重労働となり、時間と手間がかかる。特に法面部の小段に設置された集水桝や高速道路脇に設置された集水桝では、清掃時には、たえず危険と隣り合わせの状態で作業を行わなければならないとの課題があった。
【０００７】
かくして、本発明は前記従来の課題に対処すべく創案されたものであって、集水桝への設置が簡単で、集水桝への土砂やゴミを効率よく収集することができ、また、堆積した土砂やゴミの処分も簡単かつ安全に処分することができ、よって集水桝の掃除作業の安全性を増すことができ、ひいては少子高齢化に伴う高齢化した者の労務軽減に寄与できると共に、作業のコストを下げることができる、集水桝の土砂、ゴミ除去装置を提供することを目的とするものである。
【課題を解決するための手段】
【０００８】
本発明は、
略方形状に枠組みされた枠体と、
前記枠体上部に位置する隅角部内側から垂下して取り付けられ、集水桝の設置面にセットされる脚部と、
前記枠体の上面開口から内側下方に向かって取り付けられ、上面開口が土砂、ゴミ収納用開口とされた土砂、ゴミ収集用ネットと、
前記土砂、ゴミ収集用ネットの上面開口近傍位置に、前記上面開口を取り囲むように取り付けられ、前記土砂、ゴミ収集用開口を前記枠体に固定すると共に、土砂、ゴミ収集後は、前記枠体から取り外して土砂、ゴミ収集用ネットを前記枠体より離脱可能とし、離脱後には、前記土砂、ゴミ収集用開口を締結して閉塞可能とした紐部材と、を有する、
ことを特徴とし、
または、
略方形状に枠組みされた枠体と、
前記枠体の隅角部下面に設けられ、集水桝開口部に段差が形成された集水桝の該段差面、または集水桝開口部隅部に載置部が形成された集水桝の該載置部面にセットされるセット部と、
前記枠体の上面開口から内側下方に向かって取り付けられ、上面開口が土砂、ゴミ収納用開口とされた土砂、ゴミ収集用ネットと、
前記土砂、ゴミ収集用ネットの上面開口近傍位置に、前記上面開口を取り囲むように取り付けられ、前記土砂、ゴミ収集用開口を前記枠体に固定すると共に、土砂、ゴミ収集後は、前記枠体から取り外して土砂、ゴミ収集用ネットを前記枠体より離脱可能とし、離脱後には、前記土砂、ゴミ収集用開口を締結して閉塞可能とした紐部材と、を有する、
または、
前記集水桝の土砂、ゴミ除去装置は、既設または新設の集水桝に設置することができる、
ことを特徴とするものである。
【発明の効果】
【０００９】
本発明であれば、集水桝への設置が簡単で、集水桝への土砂やゴミを効率よく収集することができ、また、堆積した土砂やゴミの処分も簡単かつ安全に処分することができ、よって集水桝の掃除作業の安全性を増すことができると共に、作業のコストを下げることができる、との優れた効果を奏する。
【発明を実施するための最良の形態】
【００１０】
以下、本発明を図に示す実施例に基づいて説明する。
【００１１】
図３に示す様に、本発明は側溝１１の所定箇所に設けられた集水桝７に設置される。
【００１２】
すなわち、前述したように、集水桝７は、側溝１１の所定箇所に複数設けられている。集水桝７は、側溝１１内に雨水と共に流れてくる土砂やゴミを沈殿、分離させる役割があり、該集水桝７に堆積した土砂やゴミを定期的に清掃することで、側溝１１への土砂やゴミの堆積を抑え、側溝１１全体の水の流れを維持するとの役割を果たす。
【００１３】
しかしながら、既に述べたとおり、ひとつひとつの集水桝７の清掃を清掃者がすべて行うのは大変な重労働となり、時間と手間がかかる。また、集水桝７の場所によっては、清掃作業に危険が伴う。
【００１４】
そこで、本発明は、集水桝７内に流れ込んでくる土砂やゴミの収集及び除去を簡単かつ安全に行うことができる集水桝の土砂、ゴミ除去装置について創案したものであり、特に、図７に示すような法面部の小段にある集水桝７や、高速道路脇の集水桝７など、作業が危険な場所での土砂やゴミの収集、除去に適している。
【００１５】
図１に本発明による集水桝の土砂、ゴミ除去装置１の構成を示す。
【００１６】
該集水桝の土砂、ゴミ除去装置１は、略方形状に枠組みされた枠体２と、当該枠体２上部に位置する隅角部内側から垂下して取り付けられ、集水桝の設置面にセットされる脚部３、３、３、３と、前記枠体２の上面開口から内側下方に向かって取り付けられ、上面開口が土砂、ゴミ収納用開口とされた土砂、ゴミ収集用ネット４と、当該土砂、ゴミ収集用ネット４の上面開口近傍位置に、前記上面開口を取り囲むように取り付けられた紐部材５とを有して構成される。
【００１７】
図１及び図２から理解されるように、本発明では脚部３、３、３、３を枠体２の少し内側に位置させて形成している。前記脚部３、３、３、３が枠体２の少し内側に位置させることで、枠体２の下側に窪みができる形になり、よって、土砂、ゴミ収集用ネット４が取り付けやすく、外れにくくなる。
【００１８】
すなわち、前記土砂、ゴミ収集用ネット４を取り付ける際、前記枠体２の上面開口から内側下方に向かって取り付け、枠体２に沿って該土砂、ゴミ収集用ネット４上部を裏返して前記紐部材５を縛れば、前記窪みに該紐部材５がくい込んで土砂、ゴミ収集用ネット４を枠体２にしっかりと固定することができる。
【００１９】
なお、前記紐部材５は、土砂、ゴミ収集用開口を前記枠体２に固定すると共に、土砂、ゴミ収集後は、前記枠体２から取り外して土砂、ゴミ収集用ネット４を前記枠体２より離脱可能となっている。該離脱後には、前記紐部材５は、前記土砂、ゴミ収集用開口を締結して、前記土砂、ゴミ収集用ネット４を巾着袋のように閉塞することができる(図４を参照)。
【００２０】
次に、前記の通り紐部材５により枠体２に土砂、ゴミ収集用ネット４を固定した集水桝の土砂、ゴミ除去装置１を、前記側溝１１の所定位置に設けられた複数の集水桝７内に設置していく。
【００２１】
該集水桝の土砂、ゴミ除去装置１の脚部３、３、３、３が集水桝７の底面にセットされ、該脚部３、３、３、３に支えられた枠体２が当該集水桝７開口部分に維持されることになる。これにより、集水桝７の開口部分から雨水と共に流れ込んでくる土砂やゴミを前記土砂、ゴミ収集用ネット４がキャッチし、収集することができる。
【００２２】
次に、収集した土砂やゴミは、前記枠体２から前記土砂、ゴミ収集用ネット４を取り外して、該土砂、ゴミ収集用ネット４ごと処分する。
【００２３】
すなわち、前記の通り、前記紐部材５は、土砂、ゴミ収集後は、前記枠体２から取り外して土砂、ゴミ収集用ネット４を前記枠体２より離脱可能となっているため、堆積した土砂やゴミは、前記土砂、ゴミ収集用ネット４ごと取りだし、そのまま紐部材５を縛って巾着袋のように土砂、ゴミ収集用ネット４開口を閉じれば、後はそのまま土砂、ゴミ収集用ネット４ごと処分することができるのである。
【００２４】
前記構成により、土砂やゴミを簡単に収集、かつ処分できることが本発明の大きなポイントである。
【００２５】
本発明によれば、従来のようにスコップを用いて土砂等を取り除く手間を省くことができるのである。
【００２６】
特に、図７に示すような法面部の小段にある集水桝７や、高速道路脇の集水桝７など、作業が危険な場所での土砂、ゴミ除去装置１の設置及び収集した土砂、ゴミの処分を簡単かつ短時間で行うことができる。
【００２７】
また、集水桝７の掃除を簡単に行うことができるため、作業の安全性を増すことができるだけでなく、メンテナンスコストを下げることもできるとの効果を奏する。
【００２８】
なお、前記枠体２は鉄などの重さのあるもので形成することが好ましい。鉄などの重さのある枠体２に前記土砂、ゴミ収集用ネット４を取り付けて集水桝７に設置すると、枠体２の重さでネットが水に流されることがないからである。
【００２９】
また、集水桝の土砂、ゴミ除去装置１には、図１及び図３にあるように、足の長い前記脚部３のついたタイプの他、前記脚部よりも短い突起部６が形成されたタイプがある。
【００３０】
当該突起部６がついたタイプは、図５のように集水桝開口部分が段差８になっている集水桝７や、図６のように集水桝開口部分隅部に載置部９がある集水桝７に用いるのに適している。
【００３１】
前記突起部６が形成されたタイプの集水桝の土砂、ゴミ除去装置１の集水桝への設置は、集水桝開口部分の段差８、８、８、８または隅部の載置部９、９、９、９に前記突起部６、６、６、６を載置することで、枠体２が下まで落ちないようにする。
【００３２】
また、前記突起物６、６、６、６を設けないタイプのものを使用しても構わない。当該突起物６、６、６、６が設けられていなくとも、枠体２の隅角部下面を集水桝開口部分の段差８、８、８、８または隅部の載置部９、９、９、９にそのまま載置しても同様の効果が得られるものとなる。
【００３３】
そして、前記突起部６、６、６、６により枠体２が集水桝７開口部分に維持され、集水桝７の開口部分から雨水と共に流れ込んでくる土砂やゴミを土砂、ゴミ収集用ネット４がキャッチし、収集することができる。
【００３４】
実際は、集水桝７の形状に合わせて、前記３つのタイプの集水桝の土砂、ゴミ除去装置１を使い分けることが好ましいが、限定するものではない。また、前記２つのタイプの集水桝の土砂、ゴミ除去装置１は、既設の集水桝７、新設の集水桝７のいずれにも使用することができる。
【００３５】
以上のとおり、本発明による集水桝の土砂、ゴミ除去装置１は、既設または新設の集水桝７を問わず使用でき、集水桝７の形状に応じて使い分けることができるのである。
【図面の簡単な説明】
【００３６】
【図１】本発明による集水桝の土砂、ゴミ除去装置の構成を説明する構成説明図（その１）である。
【図２】本発明による集水桝の土砂、ゴミ除去装置の構成を説明する構成説明図（その２）である。
【図３】本発明による集水桝の土砂、ゴミ除去装置の設置状態を説明する説明図（その１）である。
【図４】本発明による集水桝の土砂、ゴミ除去装置の使用状態を説明する説明図（その１）である。
【図５】本発明による集水桝の土砂、ゴミ除去装置の設置状態を説明する説明図（その２）である。
【図６】本発明による集水桝の土砂、ゴミ除去装置の設置状態を説明する説明図（その３）である。
【図７】本発明による集水桝の土砂、ゴミ除去装置の使用状態を説明する説明図（その２）である。
【符号の説明】
【００３７】
１      集水桝の土砂、ゴミ除去装置
２      枠体
３      脚部
４      土砂、ゴミ収集用ネット
５      紐部材
６      突起部
７      集水桝
８      集水桝開口部分の段差
９      集水桝開口部分の載置部
１０    土砂、ゴミ
１１    側溝
【図１】
2014058804.tif 000003
【図２】
2014058804.tif 000004
【図３】
2014058804.tif 000005
【図４】
2014058804.tif 000006
【図５】
2014058804.tif 000007
【図６】
2014058804.tif 000008
【図７】
2014058804.tif 000009